(57)【要約】【課題】  遊技場内で使用される特殊景品は、景品問屋を経由した特殊景品だけに限ることができるようにした景品交換システムおよび景品交換方法を提供する。【解決手段】  景品交換場３０で特殊景品が収納されて景品問屋４０を経由して遊技場２０に送付される景品カセットに特殊景品の使用情報を記録する記憶部を備え、景品交換場３０内の景品交換装置は、景品カセットが景品交換所３０で使用された旨を景品カセット内の記憶部に書込み、遊技場２０内の景品払出装置は、景品問屋４０から送付された景品カセットの記憶部に、景品カセットが景品交換所３０で使用された旨が記載される場合は、当該景品カセットの使用を禁止し、また、買い取った景品カセットが景品交換所３０で使用された旨が記載されない場合は、当該景品カセットの使用を許可する。【選択図】  図１
2007222480.tif 000002
【特許請求の範囲】
【請求項１】
遊技店に、特殊景品を収容した景品カセットを景品問屋から受け取ってセットし、該景品カセット内から特殊景品を払い出す景品払出装置を設置すると共に、景品交換所に、特殊景品未収納の前記景品カセットをセットし、特殊景品を買い取って該景品カセット内に収容する景品交換装置を設置して成り、特殊景品が収納された該景品カセットが、前記景品交換場から前記景品問屋を経由して前記遊技場に送付される景品交換システムにおいて、
前記景品カセットは、特殊景品の使用情報を記憶する記憶部
を有し、
前記景品交換装置は、
買い取った特殊景品をセット中の前記景品カセットに取り込んだ時に、該景品カセットの前記記憶部に、カセットが交換所で使用された旨の使用情報を書き込む書込制御手段
を具備し、
前記景品払出装置は、
セット中の景品カセットの前記記憶部から使用情報を読出し、
読出した該使用情報に、カセットが交換所で使用された旨が記載される場合は、当該景品カセット内の特殊景品の払出しを禁止し、
読出した使用情報に、カセットが交換所で使用された旨が記載されない場合は、当該景品カセット内の特殊景品の払出しを許可する制御手段
を具備することを特徴とする景品交換システム。
【請求項２】
前記景品問屋に設置され、前記景品カセットの記憶部に対する情報の書込み／読取手段を有する処理装置
を更に具備し、
前記処理装置は、前記特殊景品を収容した景品カセットを前記遊技店に渡す際、当該景品カセットの記憶部に前記書込制御手段によって書き込まれた、カセットが交換所で使用された旨の使用情報を、前記書込み／読取手段によって削除する
ことを特徴とする請求項１記載の景品交換システム。
【請求項３】
前記景品払出装置は、
前記景品カセットの記憶部に対して情報を書込む書込み手段
を備え、
前記記憶部が記憶する使用情報は、
前記景品カセット内に収納された特殊景品の個数の情報を含み、
前記景品カセットに収納された特殊景品の個数に増減が生じた場合には、前記記憶部は記憶する前記特殊景品の個数の情報を更新し、
前記特殊景品の個数の情報を更新するのは、前記景品交換装置にあっては前記書込制御手段であり、前記景品払出装置にあっては前記書込み手段である
ことを特徴とする請求項１又は２記載の景品交換システム。
【請求項４】
前記書込制御手段は、
前記景品払出装置にセット中の前記景品カセットの前記記憶部に記憶する特殊景品の個数の情報を初めて更新する時に、カセットが交換所で使用された旨の使用情報を当該記憶部に書き込む
ことを特徴とする請求項３記載の景品交換システム。
【請求項５】
前記記憶部は、前記景品カセットが備える、当該景品カセット内の前記特殊景品を取り出すための扉が開かれたことを記憶する
ことを特徴とする請求項１乃至４のいずれかに記載の景品交換システム。
【請求項６】
遊技店に、特殊景品を収容した景品カセットを景品問屋から受け取ってセットし、該景品カセット内から特殊景品を払い出す景品払出装置を設置すると共に、景品交換所に、特殊景品未収納の前記景品カセットをセットし、特殊景品を買い取って該景品カセット内に収容する景品交換装置を設置して成り、特殊景品が収納された該景品カセットが、前記景品交換場から前記景品問屋を経由して前記遊技場に送付される景品交換方法において、
前記景品交換装置は、
前記特殊景品の使用情報を記憶する記憶部を有する景品カセットをセットし、
買い取った特殊景品をセット中の前記景品カセットに取り込んだ時に、該景品カセットの前記記憶部にカセットが交換所で使用された旨の使用情報を書込制御手段により書き込み、
前記景品払出装置は、
セット中の景品カセットの前記記憶部から使用情報を読出し、
該使用情報に、カセットが交換所で使用された旨が記載される場合は、当該景品カセット内の特殊景品の払出しを制御手段により禁止し、
該使用情報に、カセットが交換所で使用された旨が記載されない場合は、当該景品カセット内の特殊景品の払出しを制御手段により許可する
ことを特徴とする景品交換方法。
【発明の詳細な説明】
【技術分野】
【０００１】
本発明は、遊技場と景品交換場と景品問屋とで行われる特殊景品の景品交換システムおよび景品交換方法に関し、特に、遊技場内で使用される特殊景品は、景品問屋を経由した特殊景品だけに限ることができるようにした景品交換システムおよび景品交換方法に関する。
【背景技術】
【０００２】
現在、遊技場内でパチンコ等の遊技台で遊技を楽しんだ遊技客は、遊技によって獲得した遊技媒体を遊技場内で特殊景品に交換してもらう。
【０００３】
そして、遊技客は、特殊景品を手にすると、景品交換場に持っていき、景品交換場内で現金で買い取ってもらう。
【０００４】
景品交換場で遊技客から買い取った特殊景品は、景品問屋を経由して再度遊技場に運ばれる。
【０００５】
このように、特殊景品の流通は、遊技場と、景品交換場と、景品問屋との間で流通される３店方式が確立している。
【０００６】
また、特許文献１には、景品交換場で遊技客から遊技媒体を買い取る装置であり、遊技客が容易に扱え特殊景品の現金化が効率的に行われる自動景品交換機が提案されている。
【特許文献１】特開２００５−２１８５９９号公報
【発明の開示】
【発明が解決しようとする課題】
【０００７】
しかし、特許文献１の発明は、特殊景品の流通において、盗難防止として、自動景品交換機にビデオカメラ、振動検知機構、ＧＰＳ機構を備えることが行われる。  
これにより、自動景品交換機が物理的に破壊されて収納されている特殊景品が盗まれることや、自動景品交換機自体が建設重機等により丸ごと盗まれることなどに対する対策が行われているが、それでも従業員等の内部の人間による不正行為に対しては有効ではない。
【０００８】
例えば、景品交換場の景品交換機内の特殊景品を回収する人間が、回収した特殊景品を景品問屋に持ち込まずに、遊技場に持ち込む不正な流通が考えられる。
【０００９】
そこで、この発明は、遊技場内で使用される特殊景品は、景品問屋を経由した特殊景品だけに限ることができるようにした景品交換システムおよび景品交換方法を提供することを目的とする。
【課題を解決するための手段】
【００１０】
上記目的を達成する為に、請求項１の発明は、遊技店に、特殊景品を収容した景品カセットを景品問屋から受け取ってセットし、該景品カセット内から特殊景品を払い出す景品払出装置を設置すると共に、景品交換所に、特殊景品未収納の前記景品カセットをセットし、特殊景品を買い取って該景品カセット内に収容する景品交換装置を設置して成り、特殊景品が収納された該景品カセットが、前記景品交換場から前記景品問屋を経由して前記遊技場に送付される景品交換システムにおいて、前記景品カセットは、特殊景品の使用情報を記憶する記憶部を有し、前記景品交換装置は、買い取った特殊景品をセット中の前記景品カセットに取り込んだ時に、該景品カセットの前記記憶部に、カセットが交換所で使用された旨の使用情報を書き込む書込制御手段を具備し、前記景品払出装置は、セット中の景品カセットの前記記憶部から使用情報を読出し、読出した該使用情報に、カセットが交換所で使用された旨が記載される場合は、当該景品カセット内の特殊景品の払出しを禁止し、読出した使用情報に、カセットが交換所で使用された旨が記載されない場合は、当該景品カセット内の特殊景品の払出しを許可する制御手段を具備することを特徴とする。
【００１１】
また、請求項２の発明は、請求項１の発明において、前記景品問屋に設置され、前記景品カセットの記憶部に対する情報の書込み／読取手段を有する処理装置を更に具備し、前記処理装置は、前記特殊景品を収容した景品カセットを前記遊技店に渡す際、当該景品カセットの記憶部に前記書込制御手段によって書き込まれた、カセットが交換所で使用された旨の使用情報を、前記書込み／読取手段によって削除することを特徴とする。
【００１２】
また、請求項３の発明は、請求項１又は２の発明において、前記景品払出装置は、前記景品カセットの記憶部に対して情報を書込む書込み手段を備え、前記記憶部が記憶する使用情報は、前記景品カセット内に収納された特殊景品の個数の情報を含み、前記景品カセットに収納された特殊景品の個数に増減が生じた場合には、前記記憶部は記憶する前記特殊景品の個数の情報を更新し、前記特殊景品の個数の情報を更新するのは、前記景品交換装置にあっては前記書込制御手段であり、前記景品払出装置にあっては前記書込み手段であることを特徴とする。
【００１３】
また、請求項４の発明は、請求項３の発明において、前記書込制御手段は、前記景品払出装置にセット中の前記景品カセットの前記記憶部に記憶する特殊景品の個数の情報を初めて更新する時に、カセットが交換所で使用された旨の使用情報を当該記憶部に書き込むことを特徴とする。
【００１４】
また、請求項５の発明は、請求項１乃至４のいずれかに記載の発明において、前記記憶部は、前記景品カセットが備える、当該景品カセット内の前記特殊景品を取り出すための扉が開かれたことを記憶することを特徴とする。
【００１５】
また、請求項６の発明は、遊技店に、特殊景品を収容した景品カセットを景品問屋から受け取ってセットし、該景品カセット内から特殊景品を払い出す景品払出装置を設置すると共に、景品交換所に、特殊景品未収納の前記景品カセットをセットし、特殊景品を買い取って該景品カセット内に収容する景品交換装置を設置して成り、特殊景品が収納された該景品カセットが、前記景品交換場から前記景品問屋を経由して前記遊技場に送付される景品交換方法において、前記景品交換装置は、前記特殊景品の使用情報を記憶する記憶部を有する景品カセットをセットし、買い取った特殊景品をセット中の前記景品カセットに取り込んだ時に、該景品カセットの前記記憶部にカセットが交換所で使用された旨の使用情報を書込制御手段により書き込み、前記景品払出装置は、セット中の景品カセットの前記記憶部から使用情報を読出し、該使用情報に、カセットが交換所で使用された旨が記載される場合は、当該景品カセット内の特殊景品の払出しを制御手段により禁止し、該使用情報に、カセットが交換所で使用された旨が記載されない場合は、当該景品カセット内の特殊景品の払出しを制御手段により許可することを特徴とする。
【発明の効果】
【００１６】
本発明の景品交換システムおよび景品交換方法によれば、景品カセットは、特殊景品の使用情報を記憶する記憶部を有し、景品交換装置は、買い取った特殊景品をセット中の景品カセットに取り込んだ時に、該景品カセットの記憶部に、カセットが交換所で使用された旨の使用情報を書き込む書込制御手段を具備し、景品払出装置は、セット中の景品カセットの記憶部から使用情報を読出し、読出した該使用情報に、カセットが交換所で使用された旨が記載される場合は、当該景品カセット内の特殊景品の払出しを禁止し、読出した使用情報に、カセットが交換所で使用された旨が記載されない場合は、当該景品カセット内の特殊景品の払出しを許可する制御手段を具備するように構成したので、遊技場内で使用される特殊景品は、景品問屋を経由した特殊景品だけに限ることができるという効果を奏する。
【発明を実施するための最良の形態】
【００１７】
以下、本発明に係わる景品交換システムおよび景品交換方法の実施例について添付図面を参照して詳細に説明する。
【００１８】
図１は、本発明に係わる景品交換システムおよび景品交換方法における、遊技場２０、景品交換場３０、景品問屋４０の３店方式を明確にする模式図である。
【００１９】
遊技客は遊技場２０で遊技を楽しんだ結果、遊技媒体を獲得すると、獲得した遊技媒体は景品払出機２００により特殊景品に交換される。
【００２０】
図１に示すように、特殊景品を得た遊技客は、特殊景品を景品交換場３０に持って行き、特殊景品を現金に交換してもらう。
【００２１】
景品交換場３０では、景品交換機３００によって、遊技客が持ち込んだ特殊景品を現金に交換する処理が行われ、景品交換機３００内に挿入されている景品カセット１００に特殊景品が収納される。
【００２２】
景品交換場３０で特殊景品が景品交換機３００内の景品カセット１００に収納されると、特殊景品が収納された景品カセット１００が景品問屋４０を経由して遊技場２０に運ばれる。
【００２３】
遊技場２０に運ばれた、特殊景品が収納された景品カセット１００は、景品問屋４０を経由したものは、遊技場２０内で景品払出機２００にセットされて、景品カセット１００内の特殊景品が遊技媒体との交換に利用されて、空になった景品カセット１００は、景品問屋４０を経由して或いは景品問屋４０を経由しないで、景品交換場３０に運ばれる。
【００２４】
しかし、遊技場２０に運ばれた、特殊景品が収納された景品カセット１００が、景品問屋４０を経由せずに景品交換場３０から不正に運ばれたものであるならば、遊技場２０内の景品払出機２００で遊技媒体との交換に利用されない。
【００２５】
そこで、本発明に係わる景品交換システムおよび景品交換方法では、特殊景品が挿入されて特殊景品の輸送に用いられる景品カセット１００が景品交換場３０の景品交換機３００に収納されている状態で、遊技客より特殊景品が買い取られる際に、遊技客の特殊景品が景品交換場３０の景品交換機３００によって景品カセット１００に収納されると、景品カセット１００内のメモリ１０２に交換機使用フラグを「１」にセットして、景品カセット１００が景品交換場３０で使用された旨を記録するようにする。
【００２６】
そして、景品カセット１００のメモリ１０２に記録された交換機使用フラグの記録は景品問屋４０で「１」から「０」にリセットすることができるようにして、景品カセット１００が景品交換場３０で使用された旨の記録を削除するようにしておくと、景品問屋４０を経由していない景品カセット１００は交換機使用フラグが「１」のままなので、遊技場２０では、景品カセット１００内のメモリ１０２に記録される交換機使用フラグを確認することで景品問屋４０を経由した景品カセット１００か否かの判別が可能となる。
【００２７】
遊技場２０の景品払出機２００では、景品問屋４０を経由して交換機使用フラグが「０」にセットされた景品カセット１００だけ使用可能とすることで、景品交換場３０から不正に流通される景品カセット１００は、交換機使用フラグを確認して使用を禁止することができる。
【００２８】
また、景品カセット１００は、特殊景品の出し入れが可能となる扉の開閉データを記録することができるので、景品カセット１００の輸送途中での特殊景品の抜き取りを検知することができる。
【００２９】
次に、特殊景品が収納される景品カセット１００について図２を参照して説明を行う。
【００３０】
図２は、特殊景品が収納される景品カセット１００について示した模式図であり、図２（ａ）は、景品カセット１００の要部の構成を示した模式図であり、図２（ｂ）は、景品カセット１００のメモリ１０２に記録される情報について示した表である。
【００３１】
図２（ａ）に示すように、景品カセット１００は、メモリ１０２、扉検知スイッチ１０４、シャッタ１０６、シャッタ開検知スイッチ１０７、扉１０８を備えている。
【００３２】
メモリ１０２は、不揮発性メモリから構成され、景品カセット１００に関した交換機使用フラグを含む情報を記録保存することができる。
【００３３】
なお、メモリ１０２に記録保存される情報は、コマンド規制が行われており、正規の装置以外での情報の削除／書き換えができないようになっている。
【００３４】
扉検知スイッチ１０４は、景品カセット１００が景品払出機２００、景品交換機３００、景品チェッカ４００から外されて省電力モードの状態になったときに、扉１０４が開けられると、扉１０４が開けられたことをハード回路で保持しておき、再度、景品払出機２００、景品交換機３００、景品チェッカ４００に挿入されて電源がオン状態となったときには、ハード回路で保持した扉開信号が扉開情報としてメモリ１０２に記録保存される。
【００３５】
これによって、景品カセット１００の扉が開けられたことが記録として保存されるので、景品カセット１００の輸送途中での特殊景品の抜き取りを防止することができる。
【００３６】
シャッタ１０６は、景品カセット１００が景品払出機２００、景品交換機３００に挿入された状態のときに、特殊景品の出し入れに使用され、景品払出機２００、景品交換機３００から外された状態ではシャッタ１０６の開け閉めは行えないものとする。
【００３７】
シャッタ開検知スイッチ１０７は、景品カセット１００が景品払出機２００、景品交換機３００に挿入された状態で、特殊景品の出し入れの為にシャッタ１０６が開けられた状態を検知する。
【００３８】
扉１０８は、通常施錠されており、景品カセット１００に特殊景品を手動で補充、抜き取り等を行う場合に解錠される。
【００３９】
なお、景品カセット１００が景品払出機２００、景品交換機３００、景品チェッカ４００に挿入されていないときには、景品カセット１００は省電力モードとなっており、省電力モードの状態で扉１０８が開けられると、扉検知スイッチ１０４によって扉開信号が記録保持され、再度、景品払出機２００或いは景品交換機３００景品チェッカ４００に挿入されて景品カセット１００の電源がオン状態となったときに、扉開信号が扉開情報として景品カセット１００のメモリ１０２に記録保存される。
【００４０】
また、図２（ｂ）に示すように、メモリ１０２に記録保存される情報の種類は、扉開情報、景品カセット１００に収納された特殊景品の数である景品個数、特殊景品が収納された遊技店を表すコードである店コード、収納する特殊景品の金種を表すコードである金種コード、交換機使用フラグである。
【００４１】
景品問屋４０の景品チェッカ４００では、接続されるパーソナルコンピュータ４５０よりメモリ１０２に記録保存される情報の再設定を行うことができるが、遊技場２０内の景品払出機２００では景品個数だけが設定可能で、景品交換場３０内の景品交換機３００では景品個数と交換機使用フラグの設定が可能である。
【００４２】
交換機使用フラグは、景品カセット１００が景品交換場３０内で景品交換機３００に挿入されて、遊技客の特殊景品が景品交換機３００に収納された時に、メモリ１０２内の景品個数の情報が更新される際に、交換機使用フラグが「１」に設定される。
【００４３】
それで、交換機使用フラグが「１」設定された景品カセット１００は、景品交換機３００で使用されて特殊景品が収納されたと考えられる。
【００４４】
また、交換機使用フラグの設定が変更される他の場所は、景品問屋４０であり、交換機使用フラグが「１」に設定された景品カセット１００は、景品問屋４０内の景品チェッカ４００に挿入されて、パーソナルコンピュータ４５０で行われる処理によって「１」に設定された交換機使用フラグが「０」にリセットされる。
【００４５】
このように、景品交換場３０内の景品交換機３００で使用された景品カセット１００には、メモリ１０２に交換機使用フラグが「１」に設定されているので、そのまま景品カセット１００を遊技場２０に持ち込む不正な流通手段だと、遊技場２０内での景品払出機２００には使用することができない。
【００４６】
遊技場内２０内での景品払出機２００では、メモリ１０２の交換機使用フラグが「０」に設定されている景品カセット１００だけを使用することができるように設定されているので、景品交換場３０内の景品交換機３００で使用されて交換機使用フラグが「１」に設定された景品カセット１００は、景品問屋４０内の景品チェッカ４００で交換機使用フラグが「０」にリセットされないと、遊技場２０内の景品払出機２００で使用することはできない。
【００４７】
また、不正に扉１０８が開けられると扉開情報に記録が残るので、不正な特殊景品の抜き取りなども防止することができる。
【００４８】
なお、景品カセット１００は、収納される特殊景品の金種毎に専用の景品カセット１００が設定される。
【００４９】
次に、景品カセット１００の電気的な構成を図３を参照して説明を行う。
【００５０】
図３は、景品カセット１００の電気的な要部の構成を示したブロック図である。
【００５１】
図３に示すように、景品カセット１００は電気的な要部の構成として、制御部１０１、メモリ１０２、扉検知スイッチ１０４、外部インタフェース部１０５（以下図面と共に外部Ｉ／Ｆ部１０５と記す）、シャッタ１０６、シャッタ開検知スイッチ１０７、電源部１０９を備えている。
【００５２】
図２を参照して説明した景品カセット１００の構成要素と同じ構成要素については同じ符号を付して説明は省略する。
【００５３】
制御部１０１は、景品カセット１００の統括的な動作制御を行う。
【００５４】
外部Ｉ／Ｆ部１０５は、景品カセット１００が景品払出機２００、景品交換機３００、景品チェッカ４００に挿入された状態で、それぞれの挿入された装置から情報を受け取る。
【００５５】
例えば、景品交換機３００から景品の個数を更新する命令を受け取る。
【００５６】
また、景品カセット１００が、景品払出機２００、景品交換機３００、景品チェッカ４００に挿入されると、それぞれの挿入された装置から電源の供給を外部Ｉ／Ｆ部１０５から受けるものとする。
【００５７】
電源部１０９は、景品カセット１００が景品払出機２００、景品交換機３００、景品チェッカ４００から外されて景品カセット１００の電源がオフ状態となったときに、景品カセット１００を省電力状態に移行させて省電力状態を維持させるためのものである。
【００５８】
次に、遊技場２０内で使用される景品払出機２００の要部の構成について図４を参照して説明を行う。
【００５９】
図４は、遊技場２０内で使用される景品払出機２００の要部の構成について示した模式図である。
【００６０】
遊技場２０内で景品払出機２００は、遊技客が遊技によって獲得した遊技媒体が特殊景品と交換される際に使用される。
【００６１】
図４に示すように、景品払出機２００は、特殊景品排出口２０２、景品カセット収納部２０３、表示／操作部２０４を備えている。
【００６２】
特殊景品排出口２０２より、景品カセット１００に収納されている特殊景品が排出される。
【００６３】
景品カセット収納部２０３は、景品カセット１００が収納される場所であり、数種の金種の景品カセット１００が１つ以上収納されている。
【００６４】
表示／操作部２０４は、景品払出機２００を操作する操作者のために、景品払出機２００に情報を入力する入力装置と景品払出機２００からの情報を表示するディスプレイで構成される。
【００６５】
この景品払出機２００において、景品払出機２００の操作者が表示／操作部２０４より遊技客の遊技媒体の個数を入力すると、入力された遊技媒体の個数に応じて、景品カセット収納部２０３に収納されている景品カセット１００より特殊景品が特殊景品排出口２０２に搬送されて、特殊景品排出口２０２より排出される。
【００６６】
特殊景品排出口２０２より特殊景品が排出されると、排出された特殊景品の個数の更新が排出されたそれぞれの金種の景品カセット１００のメモリ１０２内で行われる。
【００６７】
なお、景品カセット１００は、メモリ１０２に記録保存されている交換機使用フラグが「０」に設定されているものでないと、景品払出機２００で使用することはできない。
【００６８】
もし、交換機使用フラグが「１」に設定されている景品カセット１００が景品カセット収納部２０３に収納されると、「この景品カセットは使用できません。再設定を行って下さい。」というガイダンス表示が表示／操作部２０４に表示されて使用することはできない。
【００６９】
使用するには、景品問屋４０での再設定が必要である。
【００７０】
次に、遊技場２０内で使用される景品払出機２００の電気的なつながりをもつ要部の構成について図５を参照して説明を行う。
【００７１】
図５は、遊技場２０内で使用される景品払出機２００の電気的なつながりをもつ要部の構成について示したブロック図である。
【００７２】
図５に示すように、景品払出機２００は、制御部２０１、特殊景品排出口２０２、景品カセット収納部２０３、表示／操作部２０４、特殊景品搬送部２０５、内部インタフェース部２０６（以下、図面と共に内部Ｉ／Ｆ部２０６と記す）を備えている。
【００７３】
図４を参照して説明した景品払出機２００の構成要素と同じ構成要素については同じ符号を付して説明は省略する。
【００７４】
制御部２０１は、景品払出機２００の統括的な動作制御を行い、また、景品カセット収納部２０３に挿入された景品カセット１００のメモリ１０２に設定された交換機使用フラグが「１」である場合には、「１」に設定された景品カセット１００の使用を禁止し、表示／操作部２０４にガイダンス表示を行う。
【００７５】
制御部２０１が受信する景品カセット１００のメモリ１０２の情報は、後で説明する内部Ｉ／Ｆ部２０６を通して行われる。
【００７６】
景品払出機２００の操作者は、特殊景品払出口２０２より特殊景品を受け取ることができる。
【００７７】
特殊景品搬送部２０５は、景品カセット収納部２０３に収納されている景品カセット１００内の特殊景品を景品カセット１００から特殊景品排出口２０２まで搬送する。
【００７８】
内部Ｉ／Ｆ部２０６は、景品カセット１００が景品払出機２００に収納された際に、景品カセット１００の外部Ｉ／Ｆ部１０５と接続され、景品カセット１００と情報の授受と、景品カセット１００に電源供給を行う。
【００７９】
次に、遊技場２０内で、景品カセット１００が景品払出機２００に収納されて運用が開始される際に行われる処理の処理フローについて図６を参照して説明を行う。
【００８０】
図６は、遊技場２０内で、景品カセット１００が景品払出機２００に収納されて運用が開始される際に行われる処理の処理フローを示したフローチャートである。
【００８１】
図６に示すように、景品払出機２００に景品カセット１００が挿入されると、内部Ｉ／Ｆ部２０６を通して景品カセット１００に電源が供給される（ステップ６０１）。
【００８２】
そして、景品払出機２００の制御部２０１は、内部Ｉ／Ｆ２０６より景品カセット１００内のメモリ１０２に記録保存されている交換機使用フラグの情報を受信する（ステップ６０２）。
【００８３】
制御部２０１は、受信した交換機使用フラグの情報が「１」か「０」かを判別して（ステップ６０３）、「０」に設定されていれば、通常通り景品カセット収納部２０３に収納された景品カセット１００が使用されて景品交換の処理が行われる（ステップ６０３）。
【００８４】
また、制御部２０１が判断して、交換機使用フラグが「１」に設定されていれば、景品問屋４０を経由していない不正な流通手段によって流通された景品カセット１００であると判断されて、表示／操作部２０４に「この景品カセットは使用できません。再設定を行って下さい。」というガイダンス表示が行われ、「１」に設定された景品カセット１００の使用が禁止される（ステップ６０４）。
【００８５】
このように処理されることにより、景品問屋４０を経由していない不正な流通手段によって流通された景品カセット１００の遊技場２０内の景品払出機２００での使用を禁止することができる。
【００８６】
次に、景品交換場３０で使用される景品交換機３００の要部の構成について図７を参照して説明を行う。
【００８７】
図７は、景品交換場３０内で使用される景品交換機３００の要部の構成について示した模式図である。
【００８８】
景品交換機３００の操作者は、景品交換場３０の店員として説明を行う。
【００８９】
景品交換場３０内で使用される景品交換機３００では、遊技客から特殊景品を買い取る処理が行われる。
【００９０】
図７に示すように、景品交換機３００は、特殊景品収納口３０２、景品カセット収納部３０３、表示／操作部３０４、硬貨払出口３０５、紙幣払出口３０６を備える。
【００９１】
特殊景品収納口３０２には、遊技客の特殊景品が景品交換機３００の操作者によってセットされる。
【００９２】
特殊景品収納口３０２にセットされた特殊景品は、景品カセット収納部３０３に収納されている景品カセット１００に搬送されて収納される。
【００９３】
景品カセット収納部３０３は、景品カセット１００が収納される場所であり、数種の金種の景品カセット１００が１つ以上収納されている。
【００９４】
表示／操作部３０４は、景品交換機３００を操作する操作者のために、景品交換機３００に情報を入力する入力装置と景品交換機３００からの情報を表示するディスプレイで構成される。
【００９５】
硬貨払出口３０５は、特殊景品収納口３０２にセットされた特殊景品が現金で買い取られる際に、遊技客に払い出す現金の硬貨を排出する。
【００９６】
紙幣払出口３０６は、特殊景品収納口３０２にセットされた特殊景品が現金で買い取られる際に、遊技客に払い出す現金の紙幣を排出する。
【００９７】
景品交換場３０では、遊技客が持ち込んだ特殊景品が景品交換機３００の操作者によって特殊景品収納口３０２にセットされる。
【００９８】
そして、セットされた特殊景品は景品カセット収納部３０３内の景品カセット１００に搬送されて収納され、セットされた特殊景品の買取金額に相当する現金が硬貨払出口３０５、紙幣払出口３０６より排出される。
【００９９】
次に、景品交換場３０内で使用される景品交換機３００の電気的なつながりをもつ要部の構成について図８を参照して説明を行う。
【０１００】
図８は、景品交換場３０内で使用される景品交換機３００の電気的なつながりをもつ要部の構成について示したブロック図である。
【０１０１】
図８に示すように、景品交換機３００は、制御部３０１、特殊景品収納口３０２、景品カセット収納部３０３、表示／操作部３０４、硬貨払出口３０５、紙幣払出口３０６、特殊景品搬送部３０７、内部Ｉ／Ｆ部３０８を備えている。
【０１０２】
図７を参照して説明した景品交換機３００の構成要素と同じ構成要素については同じ符号を付して説明は省略する。
【０１０３】
制御部３０１は、景品交換機３００の統括的な動作制御を行い、特殊景品を景品カセット収納部３０３内の景品カセット１００に収納した際には、内部Ｉ／Ｆ部３０８を通して、該景品カセット１００内のメモリ１０２に交換機使用フラグを「１」に設定した記録を保存するように景品カセット１００に対して指示を送る。
【０１０４】
特殊景品搬送部３０７は、特殊景品収納口３０２にセットされた特殊景品を、景品カセット収納部３０３内の景品カセット１００まで搬送して、景品カセット１００内に特殊景品を収納させる役目を負う。
【０１０５】
内部Ｉ／Ｆ部３０８は、景品カセット１００が景品カセット収納部３０３に収納された際に、景品カセット１００の外部Ｉ／Ｆ部１０５と接続され、景品カセット１００と情報の授受と、景品カセット１００に電源供給を行う。
【０１０６】
内部Ｉ／Ｆ部３０８が行う景品カセット１００との情報の授受には、制御部３０１から景品カセット収納部３０３に収納される景品カセット１００に送られる、メモリ１０２の交換機使用フラグを「１」に設定する内容の指示も含まれる。
【０１０７】
次に、景品交換場３０内の景品交換機３００で、特殊景品が景品カセット収納部３０３に収納する景品カセット１００に収納される際に行われる処理について、図９を参照して説明を行う。
【０１０８】
図９は、景品交換場３０内の景品交換機３００で、特殊景品が景品カセット収納部３０３に収納する景品カセット１００に収納される際に行われる処理の処理フローを示したフローチャートである。
【０１０９】
景品交換機３００において、遊技客の特殊景品が特殊景品収納口３０２にセットされると、セットされた特殊景品が金種毎に分けられて、特殊景品搬送部３０７によって景品カセット収納部３０３内の同じ金種の景品カセット１００に搬送される。
【０１１０】
特殊景品収納口３０２でセットされた特殊景品が金種毎に分けられるときに、特殊景品の金種毎の個数が制御部３０１によって把握される。
【０１１１】
そして、図９に示すように、金種毎に分けられた特殊景品が、分けられた金種と同じ金種の景品カセット１００に搬送されて収納される（ステップ９０１）。
【０１１２】
景品カセット１００に特殊景品が収納されると、制御部３０１は内部Ｉ／Ｆ部３０８を通して特殊景品が収納された景品カセット１００に、収納された特殊景品の個数を通知し、初めて特殊景品が収納された時は収納された景品カセット１００のメモリに交換機使用フラグを「１」に設定するよう指示を送る。
【０１１３】
特殊景品が収納された景品カセット１００の制御部１０１は、景品交換機３００の制御部３０１より、収納された特殊景品の個数と交換機使用フラグを「１」に設定するような指示が送られると、メモリ１０２に記録保存している景品個数を更新し、また、交換機使用フラグを「１」に設定する（ステップ９０２）。
【０１１４】
特殊景品収納口３０２にセットされた特殊景品が収納されると、硬貨払出口３０５、紙幣払出口３０６から収納された特殊景品の買取価格に相当する現金が排出される。
【０１１５】
このようにして、景品交換場３０において、景品交換機３００を使った特殊景品の買取が行われ、特殊景品が収納された景品カセット１００には、景品カセット１００のメモリ１０２内に収納された特殊景品の個数の更新と初めて特殊景品が収納された時に交換機使用フラグの「１」への設定が行われる。
【０１１６】
通常、景品交換機３００にカセットをセットして初めて特殊景品が収納される場合に、交換機使用フラグの「１」への設定が行われるが、景品個数の更新が行なわれる毎にフラグの確認を行なうようにしてもよい。
【０１１７】
次に、景品問屋４０で使用される景品チェッカ４００とパーソナルコンピュータ４５０について図１０を参照して説明を行う。
【０１１８】
図１０は、景品問屋４０で使用される景品チェッカ４００とパーソナルコンピュータ４５０を示した模式図である。
【０１１９】
図１０に示すように、景品チェッカ４００は景品カセット１００を収納することができる景品カセット収納部４０２を備える。
【０１２０】
また、景品チェッカ４００には、景品カセット収納部４０２に収納された景品カセット１００のメモリ１０２に記録保存された情報の表示、書き換えを行うことができるパーソナルコンピュータ４５０が接続される。
【０１２１】
次に、景品問屋４０で使用される景品チェッカ４００の電気的なつながりをもつ要部の構成とパーソナルコンピュータ４５０との接続の構成について図１１を参照して説明を行う。
【０１２２】
図１１は、景品問屋４０で使用される景品チェッカ４００の電気的なつながりをもつ要部の構成とパーソナルコンピュータ４５０との接続の構成について示したブロック図である。
【０１２３】
図１１に示すように、景品チェッカ４００は、制御部４０１、通信インタフェース部４０３（以下、図面と共に通信Ｉ／Ｆ部４０３と記す）、内部インタフェース部４０４（以下、図面と共に内部Ｉ／Ｆ部４０４と記す）を備え、通信Ｉ／Ｆ部４０３を通してパーソナルコンピュータ４５０と接続されている。
【０１２４】
制御部４０１は、景品チェッカ４００の統括的な動作制御を行う。
【０１２５】
通信Ｉ／Ｆ部４０３は、パーソナルコンピュータ４５０と情報の授受を行う。
【０１２６】
内部Ｉ／Ｆ部４０４は、景品カセット１００が景品カセット収納部４０２に収納された際に、景品カセット１００の外部Ｉ／Ｆ部１０５と接続され、景品カセット１００と情報の授受と景品カセット１００に電源供給を行う。
【０１２７】
このように接続された景品チェッカ１００とパーソナルコンピュータ４５０では、景品カセット収納部４０２に収納された景品カセット１００のメモリ１０２に記録保存された情報の全てをパーソナルコンピュータ４５０より表示／書き換えを行うことができる。
【０１２８】
すなわち、メモリ１０２に記録保存された、扉開情報、景品個数、店コード、金種コード、交換機使用フラグの表示、書き換えをパーソナルコンピュータ４５０より行うことが可能である。
【０１２９】
この操作により、景品交換場３０の景品交換機３００でメモリ１０２内の交換機使用フラグが「１」に設定された景品カセット１００に対して、交換機使用フラグを「０」にリセットする設定を行うことができる。
【０１３０】
このように、景品問屋４０の景品チェッカ４００とパーソナルコンピュータ４５０で、景品カセット１００のメモリ１０２内の交換機使用フラグを「０」に設定しなおすことによって、設定しなおされた景品カセット１００は、遊技場２０の景品払出機２００で使用されることが可能となる。
【０１３１】
また、景品カセット収納部４０２に収納する前に、景品カセット１００の施錠された扉１０８を解錠して開けて、景品カセット１００内部に収納される特殊景品の数の調整或いは収納される特殊景品の金種の調整を行い、その後、調整が行われた景品カセット１００を景品カセット収納部４０２に収納して、パーソナルコンピュータ４５０で扉開情報、景品個数、店コード、金種コード、交換機使用フラグの設定を行うようにすることもできる。
【０１３２】
特殊景品の数の調整とは、景品カセット１００内部に手動で特殊景品を追加したり、抜き取ったりすることであり、金種の調整とは、景品カセット１００に収納される特殊景品の金種を異なる金種に変更して景品カセット１００に収納される特殊景品の入れ替えを行うことである。
【０１３３】
次に、景品問屋４０内で使用される景品チェッカ４００とパーソナルコンピュータ４５０で行われる処理について、図１２を参照して行う。
【０１３４】
図１２は、景品問屋４０内で使用される景品チェッカ４００とパーソナルコンピュータ４５０で行われる処理の処理フローについて示したフローチャートである。
【０１３５】
図１２に示すように、景品問屋４０において、景品チェッカ４００に景品カセット１００が挿入されると、パーソナルコンピュータ４５０から景品カセット１００のメモリ１０２に記録保存された情報の確認が行われる（ステップ１２０１）。
【０１３６】
景品カセット１００のメモリ１０２に記録保存された情報は、景品カセット１００の外部Ｉ／Ｆ部１０５、景品チェッカ４００の内部Ｉ／Ｆ部４０４を通して景品チェッカ４００の制御部４０１に送られ、制御部４０１より通信Ｉ／Ｆ部４０３を通してパーソナルコンピュータ４５０に送られる。
【０１３７】
パーソナルコンピュータ４５０に送られた情報はパーソナルコンピュータ４５０のディスプレイに表示される。
【０１３８】
パーソナルコンピュータ４５０の操作者が景品カセット１００のメモリ１０２に記録保存された情報のうち扉開情報、景品個数、店コード、金種コードを再入力する際には（ステップ１２０２でＹＥＳ）、パーソナルコンピュータ４５０の入力装置から再入力が行われ（ステップ１２０３）、情報の確定が行われる（ステップ１２０４）。
【０１３９】
再入力が行われない場合には（ステップ１２０２でＮＯ）、そのまま情報の確定が行われる（ステップ１２０４）。
【０１４０】
メモリ１０２に記録保存される情報の扉開情報、景品個数、店コード、金種コードが確定されると（ステップ１２０４）、景品カセット収納部４０２に収納される景品カセット１００のメモリ１０２内に記録保存される交換機使用フラグが「０」にリセットされる（ステップ１２０５）。
【０１４１】
このように、メモリ１０２内の情報の表示／書き換えがパーソナルコンピュータ４５０で行われると、景品カセット１００は景品チェッカ４００から取り出され、遊技場２０内の景品払出機２００で使用可能の状態となる。
【０１４２】
次に、景品カセット１００から特殊景品の不正な抜き取りが行われることを防止する為に設定されている、景品カセット１００の扉開検知スイッチ１０４に関する制御部１０１を中心に行われる処理の処理フローについて図１３を参照して説明を行う。
【０１４３】
図１３は、景品カセット１００の扉開検知スイッチ１０４に関して景品カセット１００の制御部１０１を中心に行われる処理の処理フローについて示したフローチャートである。
【０１４４】
図１３に示すように、景品払出機２００又は景品交換機３００又は景品チェッカ４００でそれぞれの装置に収納されて通常の動作が行われている景品カセット１００が（ステップ１３０１）、収納されているそれぞれの装置から外されると、収納されていたそれぞれの装置から供給を受けていた電源が停止されて、景品カセット１００は電源オフ状態となる（ステップ１３０２でＹＥＳ）。
【０１４５】
景品カセット１００の電源がオフ状態となると（ステップ１３０２でＹＥＳ）、扉開検知スイッチ１０４内のハード回路で扉検知信号を閉にセットし（ステップ１３０３）、景品カセット１００は電源部１０９によって省電力モードに移行する（ステップ１３０４）。
【０１４６】
基本的に扉１０８は施錠されており、その扉１０８が解錠されて開けられると（ステップ１３０５ＹＥＳ）、扉開信号が扉開検知スイッチ１０４内のハード回路に保持される（ステップ１３０６）。
【０１４７】
そして、景品カセット１００が景品払出機２００又は景品交換機３００又は景品チェッカ４００に収納されると、景品カセット１００の電源がオン状態となり（ステップ１３０７でＹＥＳ）、景品カセット１００が省電力モードから起動して通常電力モードに移行する（ステップ１３０９）。
【０１４８】
通常電力モードに移行した景品カセット１００の制御部１０１は、扉開検知スイッチ１０４内のハード回路をチェックして（ステップ１３１０）、チェック結果である保持されている扉開信号をメモリ１０２に扉開情報として記録保存させる（ステップ１３１１）。
【０１４９】
また、扉１０８が開けられずに（ステップ１３０５でＮＯ）、景品カセット１００が景品払出機２００又は景品交換機３００又は景品チェッカ４００に収納されると、景品カセット１００が省電力モードから起動して通常電力モードに移行して（ステップ１３０８でＹＥＳ）、景品カセット１００の制御部１０１が扉開検知スイッチ１０４内のハード回路をチェックして（ステップ１３１０）、チェック結果である扉開信号が保持されていないことをメモリ１０２に記録保存させる（ステップ１３１１）。
【０１５０】
このように、景品カセット１００の制御部１０１によって、扉検知スイッチ１０４に関する動作が処理されるので、景品カセット１００が景品払出機２００又は景品交換機３００又は景品チェッカ４００から外されて電源が供給されない状態でも、扉１０８が開けられた記録が保存されるので、仮に、景品カセット１００の輸送中等に、扉１０８が開けられて特殊景品の抜き取りが発生した際には、メモリ１０２に扉開情報の記録が残ることになる。
【０１５１】
よって、景品問屋４０において、景品カセット１００のメモリ１０２に記録保存される情報を表示することで、景品交換場３０で収納された特殊景品の不正な抜き取りが行なわれていないかどうかのチェックが可能となる。
【０１５２】
このように、本発明に係わる景品交換システムおよび景品交換方法では、特殊景品を収納して輸送する景品カセット１００に関し、景品交換場３０で使用された景品カセット１００には「１」のフラグが記録保存され、そのフラグは景品問屋４０内の景品チェッカ４００でしか「０」にリセットすることができなく、遊技場２０では、フラグが「０」である景品カセット１００しか使用することができないので、景品問屋４０を経由した特殊景品のみを遊技場２０内で使用可能にすることができる。
【０１５３】
なお、シャッタ開検知スイッチ１０７についても扉開検知スイッチ１０４と同様に、省電力モードの状態でシャッタが万が一開けられたら、シャッタ開検知スイッチ１０７内のハード回路でシャッタ開信号を記録保持して、再び電源がオン状態となったときにシャッタ開検知スイッチ１０７で記録保持したシャッタ開信号がメモリ１０２に記録保存されるように構成してもよい。
【０１５４】
なお、遊技場２０内の交換機払出機２００では、メモリ１０２に交換機使用フラグが「１」に設定されている景品カセット１００が使用不可能であるように説明したが、それ以外に、メモリ１０２に扉開情報が記録保存されている景品カセット１００も交換機払出機２００で使用不可能であるようにしてもよい。
【０１５５】
なお、景品カセット１００のメモリ１０２に記録保存する情報は、扉開情報、景品個数、店コード、金種コード、交換機使用フラグであると説明したが、それ以外にも、景品カセット１００がセットされた場所と日時、さらに、景品カセット１００に特殊景品が収納或いは排出された日時等の景品カセットの使用状況に関する情報を記録保存するようにしてもよい。
【０１５６】
なお、本実施例では景品交換場３０内で使用される景品交換機３００の操作者は、景品交換場３０の店員であるとして説明を行ったが、景品交換機３００の操作者は遊技客であってもよく、その場合は、遊技客自身が景品交換機３００を操作して自動で特殊景品の買取が行われるように構成される。
【産業上の利用可能性】
【０１５７】
この発明は、遊技場と景品交換場と景品問屋とで特殊景品の流通が行われる景品交換システムにおいて利用可能である。
【０１５８】
この発明によれば、景品交換場から特殊景品を遊技場に持ち込む等の不正な流通手段を検知して、景品問屋を経由した特殊景品のみを遊技場内で使用可能とするようにすることができる。
【図面の簡単な説明】
【０１５９】
【図１】本発明に係わる景品交換システムにおける３店方式を示した模式図。
【図２】特殊景品が収納される景品カセット１００について示した図。
【図３】景品カセット１００の電気的なつながりをもつ要部の構成を示したブロック図。
【図４】景品払出機２００の要部の構成を示した模式図。
【図５】景品払出機２００の電気的なつながりをもつ要部の構成について示したブロック図。
【図６】景品払出機２００で行われる処理の処理フローを示したフローチャート。
【図７】景品交換機３００の要部の構成を示した模式図。
【図８】景品交換機３００の電気的なつながりをもつ要部の構成について示したブロック図。
【図９】景品交換機３００で行われる処理の処理フローを示したフローチャート。
【図１０】景品問屋４０で使用される景品チェッカ４００とパーソナルコンピュータ４５０を示した模式図。
【図１１】景品問屋４０で使用される景品チェッカ４００の電気的なつながりをもつ要部の構成とパーソナルコンピュータ４５０を示したブロック図。
【図１２】景品チェッカ４００で行われる処理の処理フローについて示したフローチャート。
【図１３】景品カセット１００で扉１０８の扉開情報記録のために行われる処理の処理フローを示したフローチャート。
【符号の説明】
【０１６０】
２０    遊技場
３０    景品交換場
４０    景品問屋
１００    景品カセット
１０２    メモリ
１０４    扉開検知スイッチ
１０５    外部Ｉ／Ｆ部
１０６    シャッタ
１０７    シャッタ開検知スイッチ
１０８    扉
２００    景品払出機
２０２    特殊景品排出口
２０３    景品カセット収納部
２０４    表示／操作部
３００    景品交換機
３０２    特殊景品収納口
３０３    景品カセット収納部
３０４    表示／操作部
３０５    硬貨払出口
３０６    紙幣払出口
４００    景品チェッカ
４０２    景品カセット収納部
４５０    パーソナルコンピュータ
【図１】
2007222480.tif 000003
【図２】
2007222480.tif 000004
【図３】
2007222480.tif 000005
【図４】
2007222480.tif 000006
【図５】
2007222480.tif 000007
【図６】
2007222480.tif 000008
【図７】
2007222480.tif 000009
【図８】
2007222480.tif 000010
【図９】
2007222480.tif 000011
【図１０】
2007222480.tif 000012
【図１１】
2007222480.tif 000013
【図１２】
2007222480.tif 000014
【図１３】
2007222480.tif 000015